(57)【要約】【課題】本発明は耳かけ型補聴器に関するもので、補聴器の装着性を良くすることを目的とする。【解決手段】そして、この目的を達成するために本発明は、耳の後ろ側に装着する補聴器本体と、前記補聴器本体の一端に接続され音を外耳道内に導く音導体と、前記音導体の他端に接続されイヤチップを固定するイヤチップアダプタと、前記イヤチップアダプタに接続され外耳道に音導体を固定するイヤチップから構成される耳掛け型補聴器において、前記音導体と前記イヤチップアダプタの接続部に可動部を有する構成とした。【選択図】図２
2012044568.tif 000002
【特許請求の範囲】
【請求項１】
耳の後ろ側に装着する補聴器本体と、
前記補聴器本体の一端に接続され音を外耳道内に導く音導体と、
前記音導体の他端に接続されイヤチップを固定するイヤチップアダプタと、
前記イヤチップアダプタに接続され外耳道に音導体を固定するイヤチップから構成される耳掛け型補聴器において、
前記音導体と前記イヤチップアダプタの接続部に可動部を有することを特徴とする耳かけ型補聴器。
【請求項２】
前記イヤチップアダプタは、前記音導体を伸縮自在に接続する摺動部を有することを特徴とする請求項１記載の耳かけ型補聴器
【請求項３】
前記音導体の一端に、前記イヤチップアダプタの前記摺動部に接続するインナーパーツを有することを特徴とする請求項１記載の耳かけ型補聴器。
【請求項４】
前記摺動部は、前記インナーパーツの抜け防止部を有することを特徴とする請求項２に記載の耳かけ型補聴器。
【請求項５】
前記抜け防止部の内径は、前記摺動部の内径より小さいことを特徴とする請求項４に記載の耳かけ型補聴器。
【請求項６】
前記インナーパーツは、板バネ構造を有し、その板バネの一端には、前記抜け防止部の内径より大きい径の凸部を有することを特徴とする請求項３に記載の耳かけ型補聴器。
【発明の詳細な説明】
【技術分野】
【０００１】
本発明は、耳かけ型補聴器に関する。
【背景技術】
【０００２】
従来この種の耳かけ型補聴器は以下のようになっていた。
【０００３】
すなわち、耳の背面に装着される補聴器本体と、この補聴器本体にその一端側が接続され、他端側にはイヤチップが連結されるひも状の音導体とを備えた構成となっており、前記音導体の他端側には、対耳珠に契合させるファイバーを取り付けていた（例えば、特許文献１参照）。
【０００４】
つまり、補聴器本体や音導体の振動によってイヤチップが外耳道の外に引き出される力を、そのファイバーが対耳珠の内側に固定される反力を利用してイヤチップを外耳道内から外れないようにしたものである。
【先行技術文献】
【特許文献】
【０００５】
【特許文献１】米国特許出願公開第２００５／０００２５３９号明細書
【発明の概要】
【発明が解決しようとする課題】
【０００６】
前記従来技術においては、イヤチップが外耳道内に固定されるという点においては、非常に効果的である。
【０００７】
しかしながら、従来例における課題は、ファイバーの装着性が悪いということであった。
【０００８】
すなわち、このファイバーの一端は音導体に結合されているが、その他端は遊端となっているので、このファイバーを耳の対耳珠に係合させるためには前記一端側をつまんで、このファイバーを変形させながら対耳珠に係合させる必要があり、このときファイバーはひも状でしかも小さな物であるので、これをつまんで前記対耳珠への係合作業は大変難しく、これが前述の装着性の悪さを引き起こすことになっていた。
【０００９】
そこで、本発明は、装着性を向上することを目的とするものである。
【課題を解決するための手段】
【００１０】
そしてこの目的を達成するために、耳の後ろ側に装着する補聴器本体と、前記補聴器本体の一端に接続され音を外耳道内に導く音導体と、前記音導体の他端に接続されイヤチップを固定するイヤチップアダプタと、前記イヤチップアダプタに接続され外耳道に音導体を固定するイヤチップから構成される耳かけ型補聴器において、前記音導体と前記イヤチップアダプタの接続部に可動部を有する構成とし、前記可動部で前記補聴器本体および前記音導体の振動を吸収することで、前記イヤチップが外耳道から外れることを防ぐことができるため、この結果として、前記イヤチップを固定するための前記ファイバーが不要となるため装着性を向上することができ、これにより、所期の目的を達成するものである。
【発明の効果】
【００１１】
以上のように本発明は、耳の後ろ側に装着する補聴器本体と、前記補聴器本体の一端に接続され音を外耳道内に導く音導体と、前記音導体の他端に接続されイヤチップを固定するイヤチップアダプタと、前記イヤチップアダプタに接続され外耳道に音導体を固定するイヤチップから構成される耳掛け型補聴器において、前記音導体と前記イヤチップアダプタの接続部に可動部を有することで装着性を向上することができる。
【００１２】
すなわち、本発明においては、イヤチップアダプタに可動部を設けることで、補聴器や音導体の振動によるイヤチップを引っ張り出す力を吸収することができるので、ファイバーを不要とし、結果、補聴器を装着する際の装着性を向上することができるのである。
【図面の簡単な説明】
【００１３】
【図１】本発明の実施の形態における全体図
【図２】イヤチップアダプタの断面図
【図３】インナーパーツの斜視図
【発明を実施するための形態】
【００１４】
以下に、本発明の耳かけ型補聴器の一実施形態を図面とともに詳細に説明する。
【００１５】
（実施の形態１）
図１は、耳かけ型補聴器の全体図である。本発明の耳かけ型補聴器は、耳の後ろに装着される補聴器本体１と、補聴器本体１には音導体２の一端側が接続され、他端側にはイヤチップアダプタ４が接続され、さらにイヤチップアダプタ４にはイヤチップ３が取り付けられている。音導体２は、耳の後ろに配置された補聴器本体１から耳の上を経由して外耳道までつながっており、その先に付けられているイヤチップ３により外耳道に保持されている。
【００１６】
この音導体２は、補聴器本体１から補聴器装用者の外耳道まで音を伝えるものであり、例えば、音導体２の中が空洞のチューブ形状をしており、補聴器本体１に備えられた図示しないスピーカーから発生された音の空気振動を、そのチューブの中を伝わりイヤチップから音を発生させるタイプや、イヤチップ側に図示しないスピーカーを備え、音導体２は、補聴器本体１との電気的接続を行うケーブルが組み込まれているタイプのものがある。本実施の形態では、音導体２がチューブ形状のタイプで説明しているが、電気的接続を行うタイプにも応用できるものである。
【００１７】
次に、図２を用いてイヤチップアダプタ４の構造を詳細に説明する。
【００１８】
イヤチップアダプタ４は、一端にイヤチップ３を取り付ける嵌合部５と、他端に抜け防止部７と、嵌合部５と抜け防止部７の間に摺動部６とを設けている。音導体２の他端側には、後述する凸部１０を有するインナーパーツ８が備えられており、インナ―パーツ８は摺動部６内に配置され、イヤチップアダプタ４の軸方向（図２では左右方向）に摺動可能となっている。これにより、補聴器１もしくは音導体２の振動が摺動部６により吸収されることとなり、イヤチップ３が外耳道の外に引っ張り出されることなく、安定的に外耳道に保持できるのである。
【００１９】
また、抜け防止部７の内径は摺動部６の内径より小さくしており、摺動部６内に配置されたインナーパーツ８が抜け出ないよう凸部１０が引っかかる構造となっている。
【００２０】
次に、図３を用いてインナーパーツ８の構造を詳細に説明する。
【００２１】
インナーパーツ８は、音導体２の他端側にイヤチップアダプタ４を連結するための部品である。インナーパーツ８は略円筒形をしており、一端が音導体２に固定され、他端が開放状態でかつ側面側に凸部１０を有し、その凸部１０は、インナーパーツ８の外径より突出した状態になっている。また、インナーパーツ８の側面には、略長方形の板バネ部９を有しており、その板バネ部９は一端側がインナーパーツ８に固定され、他端側は固定されておらず、バネ性により上下に動作可能となっている。凸部１０は、インナーパーツ８に備えられた板バネ部９の他端側に備えられ、凸部１０を指で押さえることで、インナーパーツ８の外径より奥に沈めることができる。つまり、インナーパーツ８をイヤチップアダプタ４に挿入する場合には、インナーパーツ８の凸部１０を指などで押さえた状態で、イヤチップアダプタ４に差し込んでいけば良い。
【００２２】
一度、挿入してしまえば、凸部１０がインナーパーツ８の外径より飛び出た状態となり、それが、抜け防止部７に引っかかることにより、抜け防止の効果を奏するのである。
【００２３】
なお、凸部１０の先端に勾配をつけることにより、指などで凸部１０を押し込むことなく、インナーパーツ８を摺動部６に挿入できるようにしてもよい。
【産業上の利用可能性】
【００２４】
以上のように本発明は、耳の後ろ側に装着する補聴器本体と、前記補聴器本体の一端に接続され音を外耳道内に導く音導体と、前記音導体の他端に接続されイヤチップを固定するイヤチップアダプタと、前記イヤチップアダプタに接続され外耳道に音導体を固定するイヤチップから構成される耳掛け型補聴器において、前記音導体と前記イヤチップアダプタの接続部に可動部を有することで装着性を向上することができる。
【００２５】
すなわち、本発明においては、イヤチップアダプタに可動部を設けることで、補聴器や音導体の振動によるイヤチップを引っ張り出す力を吸収することができるので、ファイバーを不要とし、結果、補聴器を装着する際の装着性を向上することができるのである。
【符号の説明】
【００２６】
１  補聴器本体
２  音導体
３  イヤチップ
４  イヤチップアダプタ
５  嵌合部
６  摺動部
７  抜け防止部
８  インナ―パーツ
９  板バネ部
１０  凸部
【図１】
2012044568.tif 000003
【図２】
2012044568.tif 000004
【図３】
2012044568.tif 000005